(57)【要約】【課題】  雨水貯留施設から排水する貯留雨水の水質の悪化を防止し、下水道の終末処理場にて処理する量をできるだけ少なくすること。【解決手段】  雨水貯留タンク１１の排水端部に、上澄み水層１４ａを排水する排水口２４と汚濁水層１４ｃを排水する排水口２５とを設け、上澄み水の排水口２４に連通する流水路３１を、雨水貯留タンク１１の内壁に沿って略水平に設け、上澄み水の排水口２４の出口側に臨ませて上澄み水層１４ａを一時的に貯留する上澄み水の貯留室２６を設け、汚濁水の排水口２５の出口側に臨ませて汚濁水層１４ｃを一時的に貯留する汚濁水の貯留室２７を設け、上澄み水の貯留室２６内の上澄み水と汚濁水の貯留室２７内の汚濁水とをそれぞれ区別してポンプ１６にて排水するようにしたものである。【選択図】  図１
2005146600.tif 000002
【特許請求の範囲】
【請求項１】
雨水貯留タンク１１内に貯留した貯留雨水１４を、上層の上澄み水層１４ａと下層の汚濁水層１４ｃとに静止分離してポンプ１６により排水するようにした貯留雨水の処理装置において、前記雨水貯留タンク１１の排水端部に、前記上澄み水層１４ａを排水する上澄み水の排水口２４と前記汚濁水層１４ｃを排水する汚濁水の排水口２５とを設け、前記上澄み水の排水口２４に連通する流水路３１を、前記雨水貯留タンク１１の内壁に沿って略水平に設け、前記上澄み水の排水口２４の出口側に臨ませて上層の上澄み水層１４ａを一時的に貯留する上澄み水の貯留室２６を設け、前記汚濁水の排水口２５の出口側に臨ませて下層の汚濁水層１４ｃを一時的に貯留する汚濁水の貯留室２７を設け、前記上澄み水の貯留室２６内の上澄み水層１４ａと前記汚濁水の貯留室２７内の汚濁水層１４ｃとをそれぞれ区別してポンプ１６にて排水するようにしたことを特徴とする貯留雨水の処理装置。
【請求項２】
雨水貯留タンク１１の内部に、上層の上澄み水層１４ａの排水時に発生する水流で下層の汚濁水層１４ｃが巻き上がるのを防止する水流抑制板３３を設けたことを特徴とする請求項１記載の貯留雨水の処理装置。
【請求項３】
上澄み水の排水口２４に連通する流水路３１は、上部を開口した樋状をなし、この流水路３１を雨水貯留タンク１１の両側の内壁との間に隙間を持ってそれぞれ取り付け、この流水路３１の雨水貯留タンク１１の内壁側の側壁に、洗浄水を越流する流下用切欠き３２を形成したことを特徴とする請求項１記載の貯留雨水の処理装置。
【請求項４】
上澄み水の排水口２４に連通する流水路３１は、上部を開口した樋状をなし、この流水路３１を雨水貯留タンク１１の両側の内壁に沿ってそれぞれ取り付け、この流水路３１に沿って雨水貯留タンク１１の両側の内壁との間に隙間を持ってそれぞれ洗浄水管３７を取り付け、この洗浄水管３７に、内壁側に向けてポンプ１６により圧送された洗浄水３６を噴射する噴射孔３８を形成したことを特徴とする請求項１記載の貯留雨水の処理装置。
【請求項５】
上澄み水の貯留室２６内の上澄み水層１４ａを排水するための上澄み水ポンプ１６ａの上澄み水排出管４０ａに、上澄み水排水用開閉弁３０ａと洗浄水供給用開閉弁３０ｂを連結し、この洗浄水供給用開閉弁３０ｂを介して流水路３１又は洗浄水管３７に洗浄水３６を供給するようにしたことを特徴とする請求項３又は４記載の貯留雨水の処理装置。
【請求項６】
上澄み水の排水口２４に連通する流水路３１は、上部を開口した樋状をなし、この流水路３１を雨水貯留タンク１１の両側の内壁に沿ってそれぞれ取り付け、これら２つの流水路３１に雨水貯留タンク１１の底部に向かって傾斜し、上層の上澄み水層１４ａの排水時に発生する水流で下層の汚濁水層１４ｃが巻き上がるのを防止する水流抑制板３３を設けたことを特徴とする請求項１記載の貯留雨水の処理装置。
【請求項７】
上澄み水の排水口２４に連通する流水路３１は、上部を開口した樋状をなし、この流水路３１を雨水貯留タンク１１の両側の内壁に沿ってそれぞれ取り付け、これらの流水路３１に、雨水貯留タンク１１の上部と底部で開口した略垂直な板状をなし、上層の上澄み水層１４ａの排水時に発生する水流で下層の汚濁水層１４ｃが巻き上がるのを防止する複数枚の水流抑制板３３を所定間隔で設けたことを特徴とする請求項１記載の貯留雨水の処理装置。
【請求項８】
上澄み水の貯留室２６と汚濁水の貯留室２７とに隣接して排出室４１を設け、この上澄み水の貯留室２６と排出室４１との隔壁に上部ゲート３９ａと下部ゲート３９ｂとを設け、前記汚濁水の貯留室２７と排出室４１との隔壁に汚濁水ゲート３９ｃを設け、前記上部ゲート３９ａ、下部ゲート３９ｂ、汚濁水ゲート３９ｃの開閉を制御して排出室４１に導かれた貯留雨水１４を１台のポンプ１６にて排水するようにしたことを特徴とする請求項１記載の貯留雨水の処理装置。
【請求項９】
上澄み水の貯留室２６は、底の深い洗浄水貯留部２６ａとこの洗浄水貯留部２６ａより浅い上澄み水貯留部２６ｂからなり、１台のポンプ１６の吸い込み側を３方に分岐して上澄み水吸込み管４２ａ、汚濁水吸込み管４２ｂ、洗浄水吸込み管４２ｃとし、上澄み水吸込み管４２ａの先端を上澄み水排水用開閉弁３０ａを介して上澄み水貯留部２６ｂに臨ませ、汚濁水吸込み管４２ｂの先端を汚濁水排水用開閉弁３０ｃを介して汚濁水の貯留室２７に臨ませ、洗浄水吸込み管４２ｃの先端を洗浄水供給用開閉弁３０ｂを介して洗浄水貯留部２６ａに臨ませ、前記上澄み水吸込み管４２ａ、汚濁水吸込み管４２ｂ、洗浄水吸込み管４２ｃの開閉を制御して貯留雨水１４を１台のポンプ１６にて排水するようにしたことを特徴とする請求項１記載の貯留雨水の処理装置。
【発明の詳細な説明】
【技術分野】
【０００１】
本発明は、雨天時に低地で発生する浸水被害を防止するための雨水貯留施設において、この雨水貯留施設からの雨水を上澄み水と汚濁水とに分けて効率よく排水処理するための貯留雨水の処理装置に関するものである。
【背景技術】
【０００２】
近時、市街地が広がり雨水の浸透域が減少し、また、建築物が密集している都心部では、降雨した雨水が地中に染みこまずに低地に流れ込み、低地では浸水被害が発生している。この低地での浸水被害を防止するため、図９（ａ）に示すように、公園、道路際などの地面１０の下に、雨水貯留管や雨水貯留槽などの雨水貯留タンク１１が埋設され、マンホール１２などに連結された雨水の集水路２２などから雨水流入管１３を経て集水し貯留している。
雨水貯留施設に貯留された雨水は、雨が止んだ後の晴天時に、ポンプ１６にて公共水路１８に排水し、次の降雨時の雨水貯留のために雨水貯留タンク１１の内部は常に空にしておく。
【０００３】
貯留雨水の水質は、雨水貯留施設の設置場所によっても異なるが、一般に、道路面などの地表のごみ、砂、落葉などが混入して汚濁されている。
貯留雨水を排水しても、雨水貯留施設の雨水貯留タンク１１の壁面、底部、管底部などに汚濁物２１が付着及び堆積し、臭気が発生する。そして、これを何回か繰り返すことによって、貯留雨水の汚濁濃度を高くしている。
【０００４】
貯留雨水は、汚濁濃度が低い場合、ポンプ１６で公共水路１８に汲み上げ、川や海などの公共水域に放流されている。
しかし、貯留雨水の汚濁濃度が濃い場合は、図９（ａ）に示すように、雨水貯留タンク１１で一定時間静止し、上澄み水層１４ａは、開閉弁２０ａのみを開き、上澄み水ポンプ１６ａで吸引して公共水路１８に放流する。中間水層１４ｂの汚濁度が低い場合には、開閉弁２０ｂのみを開き、中間水ポンプ１６ｂで吸引して公共水路１８に放流する。中間水層１４ｂの汚濁度が濃い場合には、開閉弁２０ｃのみを開き、中間水ポンプ１６ｂで吸引して下水道管１９に放流する。汚濁水層１４ｃは、開閉弁２０ｄのみを開き、汚濁水ポンプ１６ｃで吸引して下水道管１９に放流する。下水道管１９に放流された汚濁水層１４ｃは、図示しない下水道の終末処理場にて処理し、公共水域に放流される。
【発明の開示】
【発明が解決しようとする課題】
【０００５】
図９（ａ）において、上澄み水ポンプ１６ａにて強制的に吸引すると、上澄み水層１４ａのみを吸引しようとしても、図９（ｂ）に示すように、上部排水口１５ａから遠くになるに従って水流１７ｄ、水流１７ｅのように中間水層１４ｂ、汚濁水層１４ｃにも水流が発生し、汚濁水層１４ｃが上澄み水層１４ａに混合して上部排水口１５ａから排出される。そのため、汚濁水層１４ｃの混合した水質の悪い雨水を公共水路１８に放流することになる。
解決しようとする問題点は、雨水貯留施設から直接公共水路１８にポンプ排水する貯留雨水の水質が悪化するのを防止することにある。
【０００６】
水質の向上のために公共水路１８に放流する流量を少なくすると、それだけ下水道管１９にポンプ放水される量が多くなり、下水道の終末処理場にて処理する量が多くなって処理費が嵩む。
解決しようとする問題点は、下水道の終末処理場にて処理する量をできるだけ少なくすることにある。
【０００７】
雨水貯留タンク１１に貯留した貯留雨水１４をポンプ１６にて排水するだけでは、雨水貯留タンク１１内に汚濁物２１が付着したり、堆積したりして貯留雨水１４の汚濁濃度が次第に高くなる。
解決しようとする問題点は、雨水貯留タンク１１に付着したり、堆積した汚濁物２１をできるだけ簡単な装置で洗浄できるようにすることにある。
【課題を解決するための手段】
【０００８】
本発明は、雨水貯留タンク１１内に貯留した貯留雨水１４を、上層の上澄み水層１４ａと下層の汚濁水層１４ｃとに静止分離してポンプ１６により排水するようにした貯留雨水の処理装置において、前記雨水貯留タンク１１の排水端部に、前記上澄み水層１４ａを排水する上澄み水の排水口２４と前記汚濁水層１４ｃを排水する汚濁水の排水口２５とを設け、前記上澄み水の排水口２４に連通する流水路３１を、前記雨水貯留タンク１１の内壁に沿って略水平に設け、前記上澄み水の排水口２４の出口側に臨ませて上層の上澄み水層１４ａを一時的に貯留する上澄み水の貯留室２６を設け、前記汚濁水の排水口２５の出口側に臨ませて下層の汚濁水層１４ｃを一時的に貯留する汚濁水の貯留室２７を設け、前記上澄み水の貯留室２６内の上澄み水層１４ａと前記汚濁水の貯留室２７内の汚濁水層１４ｃとをそれぞれ区別してポンプ１６にて排水するようにしたことを特徴とする貯留雨水の処理装置である。
【０００９】
また、雨水貯留タンク１１の内部に、上層の上澄み水層１４ａの排水時に発生する水流で下層の汚濁水層１４ｃが巻き上がるのを防止する水流抑制板３３を設ける。
上澄み水の排水口２４に連通する流水路３１は、上部を開口した樋状をなし、この流水路３１を雨水貯留タンク１１の両側の内壁との間に隙間を持ってそれぞれ取り付け、この流水路３１の雨水貯留タンク１１の内壁側の側壁に、洗浄水を越流する流下用切欠き３２を形成する。
【発明の効果】
【００１０】
請求項１記載の発明によれば、雨水貯留タンク１１の排水端部に、上澄み水層１４ａを排水する上澄み水の排水口２４と汚濁水層１４ｃを排水する汚濁水の排水口２５とを設け、上澄み水の排水口２４に連通する流水路３１を、雨水貯留タンク１１の内壁に沿って略水平に設け、上澄み水の排水口２４の出口側に臨ませて上層の上澄み水層１４ａを一時的に貯留する上澄み水の貯留室２６を設け、汚濁水の排水口２５の出口側に臨ませて下層の汚濁水層１４ｃを一時的に貯留する汚濁水の貯留室２７を設け、上澄み水の貯留室２６内の上澄み水層１４ａと汚濁水の貯留室２７内の汚濁水層１４ｃとをそれぞれ区別してポンプ１６にて排水するようにしたので、分離した上澄み水を上澄み水の貯留室２６に一時的に貯留し、また、汚濁水を汚濁水の貯留室２７に一時的に貯留し、これらの上澄み水の貯留室２６と汚濁水の貯留室２７とで区分して排水することで互いに混合することが防止され、排水する水質を向上することができる。
【００１１】
請求項２記載の発明によれば、雨水貯留タンク１１の内部に、上層の上澄み水層１４ａの排水時に発生する水流で下層の汚濁水層１４ｃが巻き上がるのを防止する水流抑制板３３を設けたので、より一層、上澄み水層１４ａに汚濁水層１４ｃが混合しないようにして上澄み水層１４ａをできるだけ多く公共水路１８に放流することができ、下水処理の経費の節減を図ることができる。
【００１２】
請求項３記載の発明によれば、上澄み水の排水口２４に連通する流水路３１は、上部を開口した樋状をなし、この流水路３１を雨水貯留タンク１１の両側の内壁との間に隙間を持ってそれぞれ取り付け、この流水路３１の雨水貯留タンク１１の内壁側の側壁に、洗浄水を越流する流下用切欠き３２を形成したので、流水路３１は、上澄み水の排水と、洗浄水の供給とに利用でき、簡単な装置で雨水貯留タンク１１内に汚濁物２１で汚染されるのを防止することができる。
【００１３】
請求項４記載の発明によれば、上澄み水の排水口２４に連通する流水路３１は、上部を開口した樋状をなし、この流水路３１を雨水貯留タンク１１の両側の内壁に沿ってそれぞれ取り付け、この流水路３１に沿って雨水貯留タンク１１の両側の内壁との間に隙間を持ってそれぞれ洗浄水管３７を取り付け、この洗浄水管３７に、内壁側に向けてポンプ１６により圧送された洗浄水３６を噴射する噴射孔３８を形成したので、洗浄水３６が雨水貯留タンク１１の内壁に噴射されてより効果的に洗浄することができる。
【００１４】
請求項５記載の発明によれば、上澄み水の貯留室２６内の上澄み水層１４ａを排水するための上澄み水ポンプ１６ａの上澄み水排出管４０ａに、上澄み水排水用開閉弁３０ａと洗浄水供給用開閉弁３０ｂを連結し、この洗浄水供給用開閉弁３０ｂを介して流水路３１又は洗浄水管３７に洗浄水３６を供給するようにしたので、洗浄水供給用開閉弁３０ｂを付加するだけで洗浄水を他から供給することなく、上澄み水を用いて上澄み水ポンプ１６ａで洗浄することができる。
【００１５】
請求項６記載の発明によれば、上澄み水の排水口２４に連通する流水路３１は、上部を開口した樋状をなし、この流水路３１を雨水貯留タンク１１の両側の内壁に沿ってそれぞれ取り付け、これら２つの流水路３１に雨水貯留タンク１１の底部に向かって傾斜し、上層の上澄み水層１４ａの排水時に発生する水流で下層の汚濁水層１４ｃが巻き上がるのを防止する水流抑制板３３を設けたので、雨水貯留タンク１１内に流入した雨水中の汚濁物２１は、確実に底部まで落下し、落下後に汚濁物２１や汚濁水が巻き上がるのを防止できる。
【００１６】
請求項７記載の発明によれば、上澄み水の排水口２４に連通する流水路３１は、上部を開口した樋状をなし、この流水路３１を雨水貯留タンク１１の両側の内壁に沿ってそれぞれ取り付け、これらの流水路３１に、雨水貯留タンク１１の上部と底部で開口した略垂直な板状をなし、上層の上澄み水層１４ａの排水時に発生する水流で下層の汚濁水層１４ｃが巻き上がるのを防止する複数枚の水流抑制板３３を所定間隔で設けたので、沈殿後に汚濁物２１や汚濁水が巻き上がるのを防止できるとともに、雨水中の汚濁物２１が略垂直な板状の水流抑制板３３に付着するのを極力低減できる。
【００１７】
請求項８記載の発明によれば、上澄み水の貯留室２６と汚濁水の貯留室２７とに隣接して排出室４１を設け、この上澄み水の貯留室２６と排出室４１との隔壁に上部ゲート３９ａと下部ゲート３９ｂとを設け、前記汚濁水の貯留室２７と排出室４１との隔壁に汚濁水ゲート３９ｃを設け、前記上部ゲート３９ａ、下部ゲート３９ｂ、汚濁水ゲート３９ｃの開閉を制御して排出室４１に導かれた貯留雨水１４を１台のポンプ１６にて排水するようにしたので、１台のポンプと３個のゲートの開閉で上澄み水の排水、汚濁水の排水、洗浄水の供給を制御することができる。
【００１８】
請求項９記載の発明によれば、上澄み水の貯留室２６は、底の深い洗浄水貯留部２６ａとこの洗浄水貯留部２６ａより浅い上澄み水貯留部２６ｂからなり、１台のポンプ１６の吸い込み側を３方に分岐して上澄み水吸込み管４２ａ、汚濁水吸込み管４２ｂ、洗浄水吸込み管４２ｃとし、上澄み水吸込み管４２ａの先端を上澄み水排水用開閉弁３０ａを介して上澄み水貯留部２６ｂに臨ませ、汚濁水吸込み管４２ｂの先端を汚濁水排水用開閉弁３０ｃを介して汚濁水の貯留室２７に臨ませ、洗浄水吸込み管４２ｃの先端を洗浄水供給用開閉弁３０ｂを介して洗浄水貯留部２６ａに臨ませ、前記上澄み水吸込み管４２ａ、汚濁水吸込み管４２ｂ、洗浄水吸込み管４２ｃの開閉を制御して貯留雨水１４を１台のポンプ１６にて排水するようにしたので、１台のポンプと３個の開閉弁の開閉で上澄み水の排水、汚濁水の排水、洗浄水の供給を制御することができる。
【発明を実施するための最良の形態】
【００１９】
雨水貯留施設から直接公共水路１８にポンプ排水する貯留雨水の水質を向上させるには、雨水貯留タンク１１内で貯留雨水１４を静止して上澄み水層１４ａと汚濁水層１４ｃとを一旦分離し、分離後、上澄み水の排水口２４の出口側に臨ませた上澄み水の貯留室２６に、上層の上澄み水層１４ａを一時的に貯留し、また、汚濁水の排水口２５の出口側に臨ませた汚濁水の貯留室２７に、下層の汚濁水層１４ｃを一時的に貯留し、これらの上澄み水の貯留室２６と汚濁水の貯留室２７とで区分して排水することで互いに混合して水質が悪化するのを防止する。
【００２０】
下水道の終末処理場にて処理する量をできるだけ少なくするため、上澄み水層１４ａに汚濁水層１４ｃが混合するのを防止する水流抑制板３３を雨水貯留タンク１１内に設け、また、雨水貯留タンク１１内には、上澄み水の排水口２４に臨ませて流水路３１を設け、下方の汚濁水層１４ｃは、できるだけ上澄み水の流水路３１に流れ込まないようにする。
これにより、より一層、上澄み水層１４ａに汚濁水層１４ｃが混合しないようにして上澄み水層１４ａをできるだけ多く公共水路１８に放流する。
【００２１】
雨水貯留タンク１１に付着したり、堆積した汚濁物２１をできるだけ簡単な装置で洗浄できるようにするため、上澄み水層１４ａを上澄み水の貯留室２６内に一部残しておき、雨水貯留タンク１１内の排水が終了した後で雨水貯留タンク１１の内壁に沿って設けた水流抑制板３３又は洗浄水管３７に残しておいた上澄み水層１４ａを逆流させて洗浄する。
【実施例１】
【００２２】
以下、本発明の実施例１を図１ないし図４に基づき説明する。
公園、道路際、河川などの地面１０の下に、雨水貯留管や雨水貯留槽などの雨水貯留タンク１１がその排水端部側がやや傾斜して埋設され、貯留雨水１４が排水口２５に向かって自然流下するようになっている。この雨水貯留タンク１１は、例えば、１万ｍ３以上の容積を持ち、雨水を集水するためマンホール１２の雨水の集水路２２、雨水の集水管２３などが連結されている。
【００２３】
また、前記雨水貯留タンク１１の略中間の高さには、その内壁に沿って上澄み水層１４ａを流すとともに、洗浄水を流すための樋状の２個の流水路３１が内壁との間に隙間を有するようにスペーサ３４を介在して略水平に設けられている。これらの２個の流水路３１は、その底板部分が図９（ｂ）に示すような上澄み水層１４ａと汚濁水層１４ｃとを混合する水流の発生を抑制する。しかし、もし、２個の流水路３１の間が大きく開いていると、図９（ｂ）に示すような上澄み水層１４ａと汚濁水層１４ｃとを混合する水流が発生するおそれがあるため、これを抑制するための２枚の水流抑制板３３が中央に隙間を持って設けられており、この水流抑制板３３は、雨水流入管１３から流れ込んできた雨水中の汚濁物２１が底部へ落下するように中央に向かって傾斜している。
【００２４】
前記流水路３１は、図４（ａ）に示すように、断面が上向きＵ字形の樋状をなし、雨水貯留タンク１１の内壁側に面した側板は、反対側よりやや低く、かつ、雨水貯留タンク１１の内壁に向かって洗浄水３６を流すための連続した山形の流下用切欠き３２が設けられている。前記流水路３１は、断面Ｕ字形に限られず、図４（ｂ）に示すように、断面が上向き半円弧形の樋状をなし、一方の側板に流下用切欠き３２を形成したものであっても良い。
【００２５】
前記雨水貯留タンク１１の排水端面の外には、汚濁水の貯留室２７と上澄み水の貯留室２６が互いに仕切られて設けられている。また、前記雨水貯留タンク１１の排水端面には、上部に上澄み水の排水口２４が開口し、底部側に汚濁水の排水口２５が開口している。前記上澄み水の排水口２４には、前記流水路３１が貫通突設され、この流水路３１の突出端部は、ゲート３５を介して上澄み水の貯留室２６に臨ませられ、また、前記汚濁水の排水口２５は、汚濁水の貯留室２７に連通している。
【００２６】
前記上澄み水の貯留室２６内には、上澄み水ポンプ１６ａが設置され、この上澄み水ポンプ１６ａに連結した上澄み水排出管４０ａは、上澄み水排水用開閉弁３０ａを介して公共水路１８に臨ませられるとともに、洗浄水供給用開閉弁３０ｂを介して流水路３１に臨ませられている。また、汚濁水の貯留室２７内には、汚濁水ポンプ１６ｃが設置され、この汚濁水ポンプ１６ｃに連結した汚濁水排出管４０ｂは、汚濁水排水用開閉弁３０ｃを介して下水道管１９に臨ませられている。
【００２７】
以上のように構成された貯留雨水の処理装置の作用を説明する。
地面１０に降った雨は、雨水の集水路２２や雨水の集水管２３から溢れると、雨水流入管１３を通って雨水貯留タンク１１内に貯留する。雨水貯留タンク１１内で貯留雨水１４を一定時間静止すると、汚濁物２１は、２個の水流抑制板３３の間を通って底部に沈下させ、かつ、上澄み水層１４ａと汚濁水層１４ｃに分離される。
【００２８】
雨水貯留タンク１１内に貯留された貯留雨水１４は、２個の流水路３１の底板部分及び水流抑制板３３によって、上澄み水層１４ａと汚濁水層１４ｃとを混合する水流の発生が抑制され、上澄み水層１４ａは、流水路３１のゲート３５を開くことにより、上澄み水の排水口２４を経て上澄み水の貯留室２６に導かれ、また、汚濁水層１４ｃは、汚濁水の排水口２５を経て汚濁水の貯留室２７に導かれる。
上澄み水の貯留室２６内の上澄み水層１４ａは、上澄み水排水用開閉弁３０ａのみを開き、上澄み水ポンプ１６ａを駆動することによって、公共水路１８に放流され、公共水域に放流する。上澄み水の貯留室２６内の上澄み水層１４ａは、すべてを放流することなく、洗浄水３６として使用する分を残しておく。
次に、汚濁水の貯留室２７内の汚濁水層１４ｃは、汚濁水排水用開閉弁３０ｃのみを開き、汚濁水ポンプ１６ｃを駆動することによって、下水道管１９に放流され、図示しない下水処理施設で浄化処理を行ない、公共水域に放流する。
【００２９】
汚濁水の貯留室２７内の汚濁水層１４ｃの排水が完了した後、洗浄水供給用開閉弁３０ｂのみを開き、かつ、ゲート３５を閉じて、上澄み水の貯留室２６内に残っている上澄み水層１４ａを上澄み水ポンプ１６ａによって流水路３１に送水する。すると、その水は、流水路３１を逆流して流水路３１内から流下用切欠き３２を越流し、図４（ａ）又は（ｂ）に示すように洗浄水３６となって雨水貯留タンク１１の内壁に沿っ流下する。この洗浄水３６によって雨水貯留タンク１１の内壁の汚濁物２１は洗い流されて汚濁水層１４ｃとなって雨水貯留タンク１１の底部に貯まる。雨水貯留タンク１１の底部に貯まった汚濁水層１４ｃは、再び汚濁水排水用開閉弁３０ｃを開き、汚濁水ポンプ１６ｃを駆動して下水道管１９に放流する。
なお、洗浄水３６は、上澄み水層１４ａではなく、図示しない水源から導いてきた清水を使用することもできる。
【実施例２】
【００３０】
前記実施例１では、上澄み水層１４ａと汚濁水層１４ｃとの混合水流を抑制するために、２枚の水流抑制板３３を中央に隙間を持って、かつ、雨水中の汚濁物２１が底部へ落下するように中央に向かって傾斜して形成した。
しかし、これに限られるものではなく、図５（ａ）（ｂ）に示すように、流水路３１の下面に、雨水貯留タンク１１の上部側と底部側で隙間を有するように、垂直な水流抑制板３３を所定間隔で配置することにより、上澄み水層１４ａが上澄み水の排水口２４から流れ出るときの水流で汚濁水層１４ｃが巻き上げられるのを防止することができる。
【実施例３】
【００３１】
前記実施例１では、洗浄水３６を放水するのに、流水路３１を逆流させて流下用切欠き３２が越流する水で洗浄するようにした。
しかし、これに限られるものではなく、図６に示すように、流水路３１の下部に、雨水貯留タンク１１の内壁に向かって多数の噴射孔３８を穿設し、かつ、一端を開口し、他端を閉鎖した洗浄水管３７を配置するようにしても良い。そして、この洗浄水管３７の開口端部に洗浄水供給用開閉弁３０ｂを介して上澄み水排出管４０ａに直接接続し、上澄み水層１４ａ又は他から供給した清水を洗浄水管３７に圧送することにより、噴射孔３８から洗浄水３６が噴射し、雨水貯留タンク１１の内壁の汚濁物２１を洗い流すことができる。この実施例２による方法は、実施例１による越流する水で洗浄するよりも洗浄効果は優れているが、上澄み水ポンプ１６ａに洗浄水を圧送する出力を必要とする。
【実施例４】
【００３２】
前記実施例１では、上澄み水層１４ａを排水する上澄み水ポンプ１６ａと汚濁水層１４ｃを排水する汚濁水ポンプ１６ｃとを別個のものとした。
しかし、これに限られるものではなく、１台のポンプ１６により上澄み水層１４ａと汚濁水層１４ｃとを排水することができる。すなわち、図７（ａ）（ｂ）に示すように、上澄み水の貯留室２６と汚濁水の貯留室２７に隣接して排出室４１を設け、この排出室４１と上澄み水の貯留室２６との隔壁には、上部ゲート３９ａと下部ゲート３９ｂを設け、また、排出室４１と汚濁水の貯留室２７との隔壁には、汚濁水ゲート３９ｃを設ける。
そして、まず上部ゲート３９ａのみを開いて上澄み水の貯留室２６に導かれた上澄み水層１４ａを排出室４１に導き入れて排水し、次いで、汚濁水ゲート３９ｃのみを開いて汚濁水の貯留室２７に導かれた汚濁水層１４ｃを排出室４１に導き入れて排水する。その後、汚濁水ゲート３９ｃを開いて上澄み水層１４ａを排出室４１に導き入れて流水路３１又は洗浄水管３７に送り洗浄し、最後に再び汚濁水ゲート３９ｃのみを開いて汚濁水の貯留室２７に導かれた汚濁水層１４ｃを排出室４１に導き入れて排水する。
【実施例５】
【００３３】
図８（ａ）（ｂ）は、１台のポンプ１６により上澄み水層１４ａと汚濁水層１４ｃとを排水する他の例を示すもので、上澄み水の貯留室２６は、底部の一部を深くして洗浄水貯留部２６ａとし、浅い部分を上澄み水貯留部２６ｂとする。そして、ポンプ１６の上澄み水吸込み管４２ａを上澄み水貯留部２６ｂの底部に臨ませ、ポンプ１６の洗浄水吸込み管４２ｃを洗浄水貯留部２６ａの底部に臨ませ、ポンプ１６の汚濁水吸込み管４２ｂを汚濁水の貯留室２７の底部に臨ませる。
そして、まず上澄み水排水用開閉弁３０ａのみを開いて上澄み水貯留部２６ｂに導かれた上澄み水層１４ａをポンプ１６により排水し、次いで、汚濁水排水用開閉弁３０ｃのみを開いて汚濁水の貯留室２７に導かれた汚濁水層１４ｃを排水する。その後、洗浄水供給用開閉弁３０ｂを開いて上澄み水層１４ａを洗浄水貯留部２６ａに導かれた上澄み水層１４ａを流水路３１又は洗浄水管３７に送り洗浄し、最後に再び汚濁水排水用開閉弁３０ｃのみを開いて汚濁水の貯留室２７に導かれた汚濁水層１４ｃを排水する。
【図面の簡単な説明】
【００３４】
【図１】本発明による貯留雨水の処理装置の実施例１を示す縦断側面図である。
【図２】図１における貯留雨水の処理装置の横断平面図である。
【図３】図１における貯留雨水の処理装置の縦断正面図である。
【図４】本発明による流水路３１の異なる例を示すもので、（ａ）は、第１例を示す斜視図、（ｂ）は、第２例を示す縦断面図である。
【図５】本発明による貯留雨水の処理装置の実施例２を示すもので、（ａ）は、縦断側面図、（ｂ）は、縦断正面図である。
【図６】本発明による貯留雨水の処理装置の実施例３を示すもので、（ａ）は、縦断正面図、（ｂ）は、洗浄水管３７の一部切り欠いた平面図である。
【図７】本発明による貯留雨水の処理装置の実施例４を示すもので、（ａ）は、縦断平面図、（ｂ）は、縦断側面図である。
【図８】本発明による貯留雨水の処理装置の実施例５を示すもので、（ａ）は、縦断平面図、（ｂ）は、縦断側面図である。
【図９】従来の貯留雨水の処理装置を示すもので、（ａ）は、全体の縦断平面図、（ｂ）は、水流の説明図である。
【符号の説明】
【００３５】
１０…地面、１１…雨水貯留タンク、１２…マンホール、１３…雨水流入管、１４…貯留雨水、１４ａ…上澄み水層、１４ｂ…中間水層、１４ｃ…汚濁水層、１５ａ…上部排水口、１５ｂ…中間排水口、１５ｃ…下部排水口、１６…ポンプ、１６ａ…上澄み水ポンプ、１６ｂ…中間水ポンプ、１６ｃ…汚濁水ポンプ、１７…水流、１８…公共水路、１９…下水道管、２０…開閉弁、２１…汚濁物、２２…雨水の集水路、２３…雨水の集水管、２４…上澄み水の排水口、２５…汚濁水の排水口、２６…上澄み水の貯留室、２６ａ…洗浄水貯留部、２６ｂ…上澄み水貯留部、２７…汚濁水の貯留室、３０…開閉弁、３０ａ…上澄み水排水用開閉弁、３０ｂ…洗浄水供給用開閉弁、３０ｃ…汚濁水排水用開閉弁、３１…流水路、３２…流下用切欠き、３３…水流抑制板、３４…スペーサ、３５…ゲート、３６…洗浄水、３７…洗浄水管、３８…噴射孔、３９…ゲート、３９ａ…上部ゲート、３９ｂ…下部ゲート、３９ｃ…汚濁水ゲート、４０ａ…上澄み水排出管、４０ｂ…汚濁水排出管、４１…排出室、４２ａ…上澄み水吸込み管、４２ｂ…汚濁水吸込み管、４２ｃ…洗浄水吸込み管。
【図１】
2005146600.tif 000003
【図２】
2005146600.tif 000004
【図３】
2005146600.tif 000005
【図４】
2005146600.tif 000006
【図５】
2005146600.tif 000007
【図６】
2005146600.tif 000008
【図７】
2005146600.tif 000009
【図８】
2005146600.tif 000010
【図９】
2005146600.tif 000011